(57)【要約】本発明は、特に移動電話のための入力装置、入力装置を有するモジュール、及び入力装置及び／又はモジュールを製造する方法に関する。入力装置、入力装置を有するモジュール、移動電話及びこれらを製造する方法において、ハウジングへの、及び／又はハウジングの内部への入力装置の改善された持続的な固定をもたらすためには、少なくとも１つのキャップ（９）を有する第１の平面（Ｂ）と、キャップ（９）に結合されたフレキシブルな支持体（７）を有する第２の平面（Ａ）との間に機械的に安定した固定手段（４）が配置されており、これにより、キャップ（９）が、フレキシブルな支持体（７）と共に、固定手段（４）の平面を介したほぼ点状の力伝達部の形に形成されており、固定手段（４）が、少なくとも１つの端部エッジ（１５）の領域で、ハウジング内に又はハウジングに入力装置（１）を固定するために形成されている。
2006510245.tif 000002
【特許請求の範囲】
【請求項１】
特に移動電話のための入力装置であって、少なくとも１つのキャップ（９）が設けられており、該キャップ（９）が、少なくとも１つの対応配置されたキーを形成するために次のように、すなわち、このように形成されたキーを押圧することにより入力信号が生ぜしめられるようにフレキシブルな支持体（７）に結合されている形式のものにおいて、
少なくとも１つのキャップ（９）を有する第１の平面（Ｂ）と、前記キャップ（９）に結合されたフレキシブルな支持体（７）の第２の平面（Ａ）との間に少なくとも１つの機械的に安定した固定手段（４）が配置されており、これにより、前記キャップ（９）が、フレキシブルな支持体（７）と共に、固定手段（４）の平面を貫通するほぼ点状の力伝達部の形に形成されており、かつ固定手段（４）が、少なくとも１つの端部エッジ（１５）の領域で、ハウジング内に又はハウジングに入力装置（１）を固定するために形成されていることを特徴とする、特に移動電話のための入力装置。
【請求項２】
機械的に安定した固定手段（４）が、金属薄板の形で構成されている、請求項１記載の入力装置。
【請求項３】
固定手段（４）が、切欠きを有する格子として、特に押抜き部材の形で形成されており、該押抜き部材を貫通して、個々のキーが、必要な制限内で操作方向（Ｐ）に可動になっている、請求項１又は２記載の入力装置。
【請求項４】
キャップ（９）が、操作表面（Ｏ）の領域で、操作方向（Ｐ）に対して垂直方向に、少なくとも１つの空間方向に、固定手段（４）に設けられた破断部（６）よりも大きい寸法を有している、請求項１から３までのいずれか１項記載の入力装置。
【請求項５】
キャップ（９）が、操作可能な外側若しくは操作表面（Ｏ）に、それぞれの切欠き（６）から突出しながら、切欠きに貫通係合するように形成されている、請求項１から４までのいずれか１項記載の入力装置。
【請求項６】
キャップ（９）が、操作方向（Ｐ）に対して平行な少なくとも１つの横断面で見て、ほぼきのこ状の横断面形状を有している、請求項１から５までのいずれか１項記載の入力装置。
【請求項７】
フレキシブルな支持体（７）の突出部（１０）が、安定した固定手段（４）に設けられた切欠き（６）を貫通係合するように形成されており、かつそれぞれ突出部（１０）に固定されたキャップ（９）によりカバーされている、請求項１から６までのいずれか１項記載の入力装置。
【請求項８】
ハウジング内に、又はハウジングに入力装置（１）を固定するための固定手段（４）の少なくとも１つの端部エッジが、突出した縁部（１８）及び／又はフランジ（１６）の形で形成されている、請求項１から７までのいずれか１項記載の入力装置。
【請求項９】
固定手段（４）のそれぞれ向かい合った２つの端部エッジ（１５）が、突出した縁部（１８）及び／又はフランジ（１６）の形で形成されている、請求項１から８までのいずれか１項記載の入力装置。
【請求項１０】
固定手段（４）が、特にハウジング破断部（３）若しくはキーパッド開口の幅若しくは開口幅が小さい場合に、それぞれのハウジングに緩く挿入されている、請求項１から９までのいずれか１項記載の入力装置。
【請求項１１】
固定手段（４）が、堅固に、かつ／又は一体的にハウジングに結合されており、固定手段（４）が、有利には薄板−押抜き−曲げ部材の形で形成されている、請求項１から１０までのいずれか１項記載の入力装置。
【請求項１２】
固定手段（４）と所属のハウジング部（２，２ａ）とが、単一材料により形成されており、かつほぼ共通の製造プロセスで一体的に製造されている、請求項１から１１までのいずれか１項記載の入力装置。
【請求項１３】
固定手段（４）を使用して、キーパッド表面又はユーザ表面（Ｏ）の３次元的な形状が実施されている、請求項１から１２までのいずれか１項記載の入力装置。
【請求項１４】
固定手段（４）が、ＥＳＤ−保護部の形で形成されている、請求項１から１３までのいずれか１項記載の入力装置。
【請求項１５】
中間室が、デザイン的観点に基づき形成されている、請求項１から１４までのいずれか１項記載の入力装置。
【請求項１６】
電気的かつ／又は機械的な形式の信号を入力するためのモジュールにおいて、該モジュールが、請求項１から１５までのいずれか１項記載入力装置（１）を有していることを特徴とする、電気的かつ／又は機械的な形式の信号を入力するためのモジュール。
【請求項１７】
テキスト及び／又は画像データの形式のデータを、音と共に又は音なしに伝達し、かつ／又は表示するための、移動電話又はそのほかの送信及び／又は受信ユニットであって、前記データが、伝達したいデータ量のエレメントとして、等しい又は種々異なったスタンダードに基づいてコード化されている形式のものにおいて、この装置が、請求項１から１５までのいずれか１項記載の入力装置、及び／又は請求項１６記載のモジュールを有しており、特にユーザ末端装置として形成されていることを特徴とする、移動電話又はそのほかの送信／受信ユニット。
【請求項１８】
特に請求項１から１５までのいずれか１項記載の入力装置を製造する方法であって、少なくとも１つのキーを形成するための少なくとも１つのキャップ（９）を有するフレキシブルな支持体（７）が製造される形式の方法において、少なくとも１つの突出部（１０）を有するフレキシブルな支持体（７）を、固定手段（４）の切欠きを介して部分的に貫通案内し、前記キャップ（９）を、特に熱可塑性プラスチックの成形及び／又は変形プロセスの結果として、固定手段（４）とフレキシブルな支持体とを組み立てた後に、フレキシブルな支持体（７）に一体成形することを特徴とする、入力装置を製造する方法。
【請求項１９】
特に半透明の材料から成るキャップを個別部材として製造し、フレキシブルな支持体に結合する、請求項１８記載の方法。
【請求項２０】
少なくとも１つのキャップ（９）を、フレキシブルな支持体（７）の突出部（１０）に、かつ／又はフレキシブルな支持体（１０）上に固定し、このために、熱処理を伴った又は熱処理を伴わない、接着、溶接及び／又は形状接続的な結合などの１つ又は複数の公知の方法又はこれらの組合せを使用する、請求項１８又は１９記載の方法。
【発明の詳細な説明】
【技術分野】
【０００１】
本発明は、特に移動電話のための入力装置、入力装置を備えたモジュール、移動電話、並びに入力装置、モジュール及び／又は移動電話を製造する方法に関する。
【０００２】
現在の装置ではデザイン発展がますます強く前面に押し出されている。視覚的な印象と並んで、それぞれの装置の常に改良される取扱いやすさに大きい価値が置かれる。この場合に、入力可能性を備えた持ち運び可能な電子的な装置の小型化が、常により小さい装置表面及び装置容積につながるので、特に移動電話の場合には技術的な発展の進行が全体としてさらに小さい装置へと進んでいる。したがって提供可能な構成スペースは特にキーパッドのためにはますますわずかになり、このことによりこのような装置の操作しやすさには不都合となる恐れがある。
【０００３】
キーパッドの最小容積は、次のような基準により決定される。すなわち、キー表面、キー間隔、及びキー高さに影響する、ハウジングに対するキー突出度である。キーパッドの容積は、それぞれのキーキャップができるだけ扁平に保持されている場合には最小になる。この場合、キーパッドの面は、キー間隔がゼロに近づいた場合、すなわち、ＰＣキーボードにおいて公知のようにキーがハウジングウェブによりもはや互いに分離されず、ひいては個々に形状接続的にハウジング内に保持されている場合には最も小さくなる。
【０００４】
わずかな構成サイズ、選択プロセス及び特にＳＭＳ伝達の形の文字によるショートメッセージの送信による大きい機械的な負荷、また極めて大きいコスト負担下での製造に基づき、以下には移動電話若しくは移動電話の入力装置についてのみ、ただし本発明をこの使用分野に限定することなしに、考察する。
【０００５】
従来技術によれば、キーを備えた入力装置が公知である。これらの入力装置の操作表面の、外側からアクセス可能なキャップの、それぞれ少なくとも１つの側にはフランジが設けられている。少なくとも１つのフランジにより、キャップは対応したハウジングウェブに対して支持されており、これにより、脱落及び飛出に対して保護されている。一般には全てのキーの間に提供されているハウジングウェブなしには、このような保護はキーパッドとハウジング若しくはキーパッドとハウジング上部シェルとのコンタクト領域でのみ可能である。特に選択番号５と８を備えたキーは、従来の移動電話キーパッドではハウジング内にウェブなしに保持されたキーパッド全体の滑落又は引抜に対してもはや十分に保護されていない。
【０００６】
ウェブなしの個々のキーを備えた公知の入力装置では、キーはフレキシブルなプラスチック支持体に固定される。このフレキシブルなプラスチック支持体は、入力装置をハウジング内に固定するために、かつ／又は一方では機械的に極めて安定して、かつ他方では個々のキーの操作性を確保するためにも極めてフレキシブルになっていなければならない。これらの要請は互いに強く矛盾しており、通用する妥協点は著しく制限された程度でしか見いだすことができない。持続的な機能安定性は、ハウジング寸法をさらに収縮した場合にはもはや保証されていない。
【０００７】
ヨーロッパ特許庁特許公開第１１５６６４３号明細書につき移動電話のためのキーパッドが公知である。このキーパッドではキーパッドキャップがハウジングウェブなしに互いに分離されて、フレキシブルなシート状の支持体に固定されている。このシート状支持体は、例えばシリコン支持体の形で形成されている。１構成では、シート状支持体自体がプリント配線板に接着されている。このプリント配線板の方は、シート状支持体が環状のフランジを有していることにより、オーバラップ領域で、周囲のフランジにより形状接続的（ｆｏｒｍｓｃｈｌｕｅｓｓｉｇ）に保持されており、これにより通常はフレーム状のオーバラップ領域が、フランジと、例えばハウジング上部シェルとの間に生じる。このハウジング上部シェル内には、キーパッドが、鉤−はとめ及び／又はピン−孔の組合せを介して把持され、形状又は摩擦接続的（ｋｒａｆｔｓｃｈｌｕｅｓｓｉｇ）に保持され、これにより固定されている。
【０００８】
しかしながら、それぞれのキーパッドとハウジングとの間のオーバラップするコンタクト領域は、装置全体の小型化に基づきますますわずかになり、これにより、キーサイズがさらに縮小されない場合には操作快適性及び入力安定性の最小限度を保証することができなくなってしまう。ハウジングに対して相対的なキーパッド又はキーパッドモジュールの機械的な安定性は、切欠き又はアンダカットと、対応したウェブ、鉤及び／又はピンの組合せを介したロックの公知の形式ではもはや十分ではない。簡単で製造技術的に良好に実施可能な、キーパッド又はキーパッドモジュールと上部シェルとの接着も、キー又は全てのキーを備えたキーパッド支持体の脱落又は飛出に対してキーを持続的に保護するためには不十分であることが明らかとなっている。
【０００９】
このことにより、移動電話の、個々のキーの相対的な拡大によりユーザの快適性向上のために使用することができるであろう、まさに入力装置若しくはキーパッドの領域の周囲に多くの構成スペースが必要とされる。択一的には、デザインのみを現在技術的に実施可能な形状に適合させて、例えばキーパッドを確実に固定することだけのためにハウジングを拡大することにより、変更することができる。しかしながら、これにより装置全体がもともと技術的に不可欠であるよりも大きいハウジングを有するようになる。しかしながら、この解決手段は小型化に相反するものである。
【００１０】
そこで本発明の課題は、入力装置、入力装置を備えたモジュール、移動電話、及びこれらを製造する方法を提供し、ハウジングに沿った、かつ／又はハウジングの内部において入力装置の改善された持続的な固定を可能にすることである。
【００１１】
この課題は、本発明によれば請求項１に記載の特徴を有する入力装置と、請求項１６に記載の特徴を有するモジュールと、請求項１７に記載の移動電話により解決される。さらにこの課題は、請求項１８に記載の特徴を有する方法により解決される。従属請求項はそれぞれ本発明の優先的かつ有利な構成を規定している。
【００１２】
少なくとも１つのキャップが設けられており、このキャップが、少なくとも１つの対応したキーを形成するためにフレキシブルな支持体に結合されており、これにより、このように形成されたキーの押圧により入力信号が生ぜしめられるようになっている、特に移動電話のための本発明による入力装置は、少なくともキャップを有する第１の平面と、このキャップに結合されたフレキシブルな支持体を有する第２の平面との間に、少なくとも１つの機械的に安定した固定手段が配置されており、これにより、キャップはフレキシブルな支持体と共に、固定手段の平面を通過してほぼ点状の力伝達部の形に形成されており、固定手段が少なくとも１つの端部エッジの領域に、ハウジング内に又はハウジングに入力装置を固定するために形成されていることを特徴とする。キャップと支持体との間には固定手段が形状接続的に閉じ込められており、この場合に、ユーザ表面に位置する操作部の形のキャップの可動性が、キー操作のために必要な限界内で保証されている。
【００１３】
本発明の発展形では、機械的に安定した固定手段が金属薄板の形で実施されている。有利には、この金属薄板は本発明の構成では押抜き加工部材の形で、切欠きを有する格子として形成されており、これらの切欠きを介して個々のキーが操作方向に、信号を引き起こすために必要な限界内で可動になっている。得ようとする金属格子の形でも確実に形成可能な金属的に十分に安定した固定手段に基づき、切欠きは極めて大きく選択することもでき、これにより、それぞれのキーキャップの特に極めて良好な、又はほぼ完全な後方照明が可能になる。
【００１４】
本発明の有利な構成では、キャップは特に熱可塑性の成形及び／又は変形プロセスの結果として固定手段とフレキシブルな支持体とを組み立てた後にフレキシブルな支持体に一体成形されている。この場合にキャップは操作表面の領域で、操作方向に対して垂直方向に、少なくとも１つの空間方向に、固定手段の破断部よりも大きい寸法を有している。有利にはキャップは操作方向に対して平行な少なくとも１つの横断平面で見て、ほぼキノコのような横断面形状を有している。キーの少なくとも１つの領域で固定手段の切欠きを貫通係合するフレキシブルな支持体は、さらに本発明の１構成では固定手段と共に分離不能なモジュールを形成している。これにより、操作者の指と接触するキャップの拡大による改善された操作と並んで、信号入力時に過大に負荷された場合にキャップが固定手段の切欠きを貫通して挿入され、又は持続的に押し込まれ得ることがないことも達成される。キャップは固定手段と協働して同時に操作方向の運動の制限としても作用する。
【００１５】
しかしながら有利な構成では、少なくとも１つのキーとフレキシブルな支持体との単一材料による構成の代わりに、複数部材の、特に複数素材による構成が設けられている。この場合には、キャップは特に単一部材の形で半透明の材料より製造されており、フレキシブルな支持体に結合されている。したがって材料はそれぞれの使用目的に対応して最適に選択することができる。すなわち、キャップは良好かつ持続的に耐摩耗性の押圧可能性と同時に良好な後方照明とに関連して選択することができ、かつフレキシブルな支持体は持続負荷時により大きい亀裂及び摩耗傾向なしに得られる持続的に良好なフレキシビリティ、及び汚れに対しても良好な耐性に関連して選択することができる。
【００１６】
有利には少なくとも１つのキャップが、フレキシブルな支持体の突出部に、かつ／又は突出部上に固定される。この場合、ここでも全ての公知の方法、すなわち、熱処理を伴った又は熱処理なしの接着、溶接及び／又は形状接続的な結合、又はこれらの組合せをも使用することができる。
【００１７】
これにより、上に述べた両方の構成においては、入力装置のキャップ又はキーが、操作運動の方向又はこのような操作運動とは反対方向の飛出に対して固定されている。
【００１８】
ウェブなしのキーの形で、構成に応じて、キャップは操作可能な外側若しくは操作表面でそれぞれの切欠きから突出しながら切欠きを貫通係合するか、又はフレキシブルな支持体の突出部などが、安定した固定手段に設けられた切欠きを貫通係合し、それぞれのキャップによりカバーされる。これにより、それぞれのキーの操作方向に対して、キーはそれぞれのハウジング内に確実に固定されている。
【００１９】
本発明の構成では、入力装置を固定するための固定手段の少なくとも１つの端部エッジが、ハウジング内に、又はハウジングに沿って、突出した縁部及び／又はフランジの形で形成されており、有利にはこれらは固定手段のそれぞれ向かい合った２つの端部エッジである。これらの領域はほぼ入力装置本体への作用なしに自由に形成することができる。
【００２０】
本発明の特に有利な構成では、本発明による固定手段は静電的な負荷に対する保護部若しくはＥＳＤ保護部の形で形成されている。
【００２１】
このためには、固定手段は、例えばハウジングと入力装置との組立の流れで自動的に生じるクランプコンタクトにより、電気的に伝導性のエレメントとしてハウジングの内部で接地導体に接続されている。これにより、ＥＳＤ火花の導出が保証されている。
【００２２】
本発明の構成では、固定手段はハウジング破断部の幅若しくは開口幅が小さい場合には緩くそれぞれのハウジング内に挿入される。しかしながら、幅がより大きい場合には有利には薄板部材の形でハウジングに堅固に又は一体的に結合される。１構成では、固定手段と所属のハウジング部とはこのために単一材料で形成されており、基本的には共通の１つの製造ステップで一体的に製造される。
【００２３】
本発明によりここでいま簡単な製造方法により、簡単かつ信頼性良く固定可能な入力装置をハウジングに又はハウジング内に固定する可能性がもたらされ、この場合に、入力装置は全体として２つの空間軸で自由に可動にハウジング内に位置しており、付加的な接着又は別の結合技術なしに保持薄板の形の固定手段によりハウジング内に保持される。必然的に、かつ別の手段なしに入力装置本体は主に固定手段に設けられた、それぞれのウェブなしのそれぞれのキーが貫通係合するように構成されている切欠きを介して、ハウジングに対して相対的にセンタリングされる。このことは、装置全体の内部の一連の公差に良好に作用する。なぜならば、これにより、過剰規定されたシステムが構成されないからである。
【００２４】
この場合、キーパッド表面の２次元的な形状と並んで３次元的な形状も機械的に支援するか、実施することさえできる。このことは、例えば対応した安定的なハウジング内で固定手段を曲げることにより、又は製造時の固定手段の押抜き曲げ加工により行われる。
【００２５】
さらに本発明によるキーの静電的に放電する特性も付加コストなしに利用することができる。閉じられたファラデーケージを形成するためにも装置ハウジング本体を対応して装備した場合に本発明による入力装置を使用することができる。
【００２６】
とりわけ提案された技術的手段の副次作用として薄板格子の可視的な金属の反射が少なくともキー中間室内で、デザイン目的のために使用することができる。例えば陽極酸化（Ｅｌｏｘｉｅｒｕｎｇ）及び／又は着色による薄板格子の表面処理により、この作用は、次に図面に関して具体的な実施例に基づき詳しく説明するように、色による構成可能性の領域全体にわたって使用することができる。
【００２７】
本発明による固定手段によって、欠如したハウジングウェブ、フランジなどが代替される。これらのハウジングウェブ、フランジは、さもなければ通常は入力装置のキーをそれぞれのハウジングに確実に固定する。
【００２８】
次に本発明の有利な実施の形態を添付の図面につき詳しく説明する。
【００２９】
図１の３次元展開図には、移動通信電話のためのキー領域１ａの形の、本発明による入力装置１の基本的な組立が示されている。キー領域１ａの確実な固定部をハウジング部２、ここではハウジング（ここにはさらに図示していない）の上部シェル若しくはハウジング破断部３に形成するためには、押抜き加工された、切欠き６を有する金属格子５の形の機械的に安定した固定手段４が、支持マット８の形のフレキシブルな支持体７の平面Ａと、個々のキーキャップ９を有する平面Ｂとの間若しくは移行部に配置されている。
【００３０】
ウェブなしのキーを有する入力装置１を形成するためには、フレキシブルな支持体７の突出部１０が、安定した固定手段４内のそれぞれの切欠き６に貫通係合し、それぞれのキャップ９によりカバーされる。これにより、それぞれのキーの操作方向Ｐに対してキーはそれぞれのハウジング内に固定される。
【００３１】
固定手段４の高い機械的な負荷可能性と並んで、固定手段４の金属的に導電性の特性も利用され、この場合に固定手段４は静電的な放電に対する保護装置として使用される。このためには、ＥＳＤ接続部１１が押抜きたわみ部材の形で固定手段４に一体成形されている。組み立てられた状態では、このＥＳＤ接続部１１はハウジング上部の圧着力の作用下に、移動電話の残りのハウジングにロックされて、内部電子機構の接地線に接続されている。
【００３２】
さらに固定手段４には切欠き１２が設けられており、これに対応して比較的浅いノッチ１３がフレキシブルな支持体７内に設けられている。金属薄板のより高い機械的な性能に基づき、固定手段４はハウジングの上部シェル２ａのピン１４などと協働して、切欠き１２を介してのみハウジングの内部の十分な固定を確保することができる。対応した縁部及びオーバラップ領域は、フレキシブルな支持体７がこの課題を引き受けるためには小さすぎるので、このためにはこのような縁部及びオーバラップ領域はもはや使用される必要がない。したがってここでは単に組立時に位置決めを簡易化するためには、浅いノッチ１４のみが設けられている。
【００３３】
入力装置１を完全なモジュールの形で形成するためには、スイッチコンタクト（図示していない）を有するフレキシブルな支持マット７の下方に、公知の形式で電気的なメーク接点を形成するための印刷されたプリント回路基板を配置することができる。このプリント回路基板は、フレキシブルな支持マット７に一体的に結合されていてもよい。しかしながら一体的なモジュールとして製造された入力装置のこのような構成も、入力キーのためのハウジング破断部３若しくはハウジング開口に対する相対的な位置決め、及び規定された位置における固定に関しては、図１に示した、単にフレキシブルな支持マット７と、この支持マット７に固定される個々のキーキャップ９とからなる装置と同じように良好に機能する。
【００３４】
それ故、図２の部分図に関連して、従来技術とは異なった形で固定手段４によりもたらされる位置決め及び固定の形式について詳しく説明する。このためには、図２は図１の平面Ａ−Ａに沿った横断面として簡略化して示されている。破線で示した円により３つの箇所が強調されている。これらの箇所には従来技術によれば固定手段が設けられている。Ｍ１は、キャップ９のフランジが、上部シェル２ａのハウジング破断部３の領域に固定のために係合している位置を示唆している。Ｍ２は、Ｍ１に類似して形成された、隣接したキャップ９の間の係合による位置決めを示唆している。Ｍ３は公知の入力装置１の、フレキシブルな支持体７の領域の、フランジによる汎用の固定部を示唆している。図２の領域Ｍ３に、機械的に安定した固定手段４の端部領域１７のフランジ１６を破線により強調して示したように、ここに、本発明の基本思想が適用される。すなわち、それぞれのキー運動の方向Ｐ若しくは操作方向には、フレキシブルな支持体７は、フレキシブルな支持体７のそれぞれの突出部１０に固定されたキーキャップ９と共に、十分な程度に自由に可動になっており、かつ前記フレキシブルな支持体７は、安定した固定手段４に設けられたそれぞれの切欠き６を介して、操作方向Ｐに対して垂直方向の所定の平面では極めてわずかにだけ可動に保持されている。
【００３５】
端部領域３を介して入力装置１が外側へ引き出されることを確実に阻止し、同時に自動的な位置固定をもたらすためには、固定手段４の少なくとも１つの端部エッジが、入力装置１を固定するためにハウジング２，２ａ内又はハウジング２，２ａに沿って、突出した縁部１８及び／又は機械的に安定した固定手段４の端部領域１７のフランジ１６の形で形成されている。図２に示したように、これは固定手段４のそれぞれ向かい合った２つの端部エッジ１９である。
【００３６】
このように、少なくとも移動電話の領域に、押抜き加工された金属格子薄板５の形の固定手段４を緩く挿入することにより、キーキャップとフレキシブルな支持体材料との間に、それぞれのハウジング２内のより深くに位置する平面に保持ウェブの形成を実施することができ、これらの保持ウェブにより、操作表面Ｏにキャップ９の形のキー本体をウェブなしに配置することが可能である。
【００３７】
特に押抜き加工された金属格子薄板５の形の固定手段４は、個々のキーキャップ９又はキーキャップ９と、ハウジングの隣接した上部シェル２ａとの間の中間室ｚに、金属の光沢により特別な視覚的な効果を生ぜしめる。このような視覚的な効果は、金属格子薄板５の表面構成に応じて、デザインのコンセプト全体に関して、例えば着色などによって形成することができる。キャップ９とキャップ９との間及び／又はキャップ９とハウジング部２との間に生じる中間室ｚは、付加的な手間なしに、金属的な外観又はそのほかのデザインの観点に関して使用される。
【図面の簡単な説明】
【００３８】
【図１】本発明による入力装置の１構成を示す３次元展開図である。
【図２】図１の入力装置の横断面図である。
【符号の説明】
【００３９】
１  入力装置、  １ａ  キーパッド、  ２  ハウジング部、  ２ａ  ハウジングの上部シェル、  ３  ハウジング破断部、  ４  機械的に安定した固定手段、  ５  金属格子、  ６  ４，５の切欠き、  ６  フレキシブルな支持体、  ７  キーキャップ、  ８  支持体マット、  ９  キーキャップ、  １０  ７，８の突出部、  １１  ４，５のＥＳＤ接続部、  １２  ４の切欠き、  １３  ７のノッチ、  １４  ２ａのピン、  １５  ４，５の端部エッジ、  １６  ４，５のフランジ、  １７  ４，５の端部領域、  １８  ４，５の突出した縁部、  Ａ  フレキシブルな支持体７の平面、  Ｂ  個々のキーキャップ９を有する平面、  Ｍ１，Ｍ２，Ｍ３  固定手段の領域、  Ｐ  キー運動の方向／操作方向、  Ｏ  ユーザ表面、  ＳＭＳ  ショートメッセージサービス、  ｚ  中間室
【図１】
2006510245.tif 000003
【図２】
2006510245.tif 000004
【国際調査報告】
2006510245.tif 000005
2006510245.tif 000006
2006510245.tif 000007
2006510245.tif 000008
2006510245.tif 000009
2006510245.tif 000010